(57)【特許請求の範囲】
【請求項１】
第１基板および第２基板を互いに重ね合わせて貼り合せる基板貼り合せ装置であって、
前記第１基板を保持する第１ステージと、
前記第１基板に対向するように前記第２基板を保持し、前記第１ステージに対して移動する第２ステージと、
前記第２ステージの位置を計測する観察部と、
前記第２ステージに対して固定された第２固定鏡を有し、前記第２固定鏡からの反射光の干渉により前記第２ステージの位置を検出する干渉計と、
前記第２基板を前記第１基板に対して位置合わせする前に、前記観察部が計測した前記位置に基づいて前記第２ステージの位置を設定し、前記第２基板を前記第１基板に対して位置合わせした後に、前記第２ステージの傾斜量に基づいて補正した重ね合わせ位置で、前記第２基板を前記第１基板に重ね合わせる制御部と
を備え、
前記制御部は、前記干渉計の検出結果に基づいて前記第２ステージの補正量を算出し、前記補正量から前記第２ステージの見かけ上の位置ずれ量を差し引く補正をする基板貼り合せ装置。
【請求項２】
前記第２ステージは、前記観察部から観察される平行基準マークを有し、前記観察部は、前記平行基準マークまでの距離に基づいて前記第２ステージの位置を計測する請求項１に記載の基板貼り合わせ装置。
【請求項３】
前記制御部は、前記第２基板を前記第１基板に対して位置合わせする前に、前記観察部により計測された前記位置に基づいて前記第２ステージを水平に設定する請求項２に記載の基板貼り合わせ装置。
【請求項４】
前記第２ステージは、前記観察部から観察される複数の平行基準マークを有し、
前記観察部は、前記複数の平行基準マークの各々までの距離および高さの少なくとも一方に基づいて前記第２ステージの位置を計測する請求項１に記載の基板貼り合わせ装置。
【請求項５】
前記制御部は、前記第２基板を前記第１基板に対して位置合わせする前に、前記観察部が計測した前記位置に基づいて、前記複数の平行基準マークの各々までの距離および高さの少なくとも一方が一定になる位置に前記第２ステージの位置を設定する請求項４に記載の基板貼り合わせ装置。
【請求項６】
前記観察部は、前記第１ステージに対して固定された顕微鏡を含み、前記顕微鏡の合焦距離および合焦位置の少なくとも一方に基づいて前記第２ステージの位置を計測する請求項１から５のいずれか一項に記載の基板貼り合せ装置。
【請求項７】
前記干渉計は、前記第１ステージに対して固定された第１固定鏡を更に有し、前記第１固定鏡および前記第２固定鏡の相対位置に基づいて前記第１ステージおよび前記第２ステージの相対位置を検出し、
前記制御部は、前記干渉計の検出結果に基づいて前記相対位置を補正する請求項１から６のいずれか一項に記載の基板貼り合せ装置。
【請求項８】
前記制御部は、前記干渉計の検出結果を前記傾斜量に応じて補正する請求項７に記載の基板貼り合せ装置。
【請求項９】
前記制御部は、前記干渉計の検出結果に基づいて補正量を算出し、前記補正量から前記第１ステージおよび前記第２ステージの見かけ上の位置ずれ量を差し引く補正をする請求項８に記載の基板貼り合せ装置。
【請求項１０】
前記制御部は、前記第２ステージが傾くことによって前記第２固定鏡が傾いたことにより生じた見かけ上の位置ずれ量を前記補正量から差し引く請求項９に記載の基板貼り合せ装置。
【請求項１１】
前記制御部は、前記第１基板の表面の中心を通り、前記表面に沿って伸びる軸の周りに前記第２ステージが回転した場合の相対位置のずれ量を前記見かけ上の位置ずれ量とし、前記補正量から差し引く請求項９または請求項１０に記載の基板貼り合せ装置。
【請求項１２】
前記制御部は、前記第２ステージの前記傾斜量に基づいて前記見かけ上の位置ずれ量を算出する請求項９から１１のいずれか一項に記載の基板貼り合せ装置。
【請求項１３】
前記制御部は、前記見かけ上の位置ずれの方向と反対方向に前記第２ステージを移動させて補正する請求項９から１２のいずれか一項に記載の基板貼り合せ装置。
【請求項１４】
第１基板および第２基板を互いに重ね合わせて貼り合せる基板貼り合せ方法であって、
前記第１基板を第１ステージに保持する第１保持工程と、
前記第１基板に対向するように前記第２基板を第２ステージに保持する第２保持工程と
前記第２ステージの位置を計測する観察工程と、
前記第２基板を前記第１基板に対して位置合わせする前に、前記観察工程において計測した前記位置に基づいて前記第２ステージの位置を設定する位置設定工程と、
前記第２基板を前記第１基板に対して位置合わせした後に、前記第２ステージの傾斜量に基づいて補正した重ね合わせ位置で、前記第２基板を前記第１基板に重ね合わせる基板重ね合わせ工程と
を備え、
前記重ね合わせ工程は、干渉計により、前記第２ステージに対して固定された第２固定鏡との相対位置に基づいて、前記第２ステージの位置を検出する段階と、
前記干渉計の検出結果に基づいて前記第２ステージの補正量を算出し、前記補正量から前記第２ステージの見かけ上の位置ずれ量を差し引く補正をする段階と
を有する基板貼り合せ方法。
【請求項１５】
前記観察工程は、前記第２ステージが有する平行基準マークまでの距離に基づいて前記第２ステージの位置を計測する段階を含む請求項１４に記載の基板貼り合わせ方法。
【請求項１６】
前記位置設定工程は、前記第２基板を前記第１基板に対して位置合わせする前に、前記観察工程において計測された前記位置に基づいて前記第２ステージを水平に設定する段階を含む請求項１５に記載の基板貼り合わせ方法。
【請求項１７】
前記観察工程は、前記第２ステージが有する複数の平行基準マークの各々までの距離および高さの少なくとも一方に基づいて前記第２ステージの位置を計測する段階を含む請求項１４に記載の基板貼り合わせ方法。
【請求項１８】
前記位置設定工程は、前記第２基板を前記第１基板に対して位置合わせする前に、前記観察工程において計測した前記位置に基づいて、前記複数の平行基準マークの各々までの距離および高さの少なくとも一方が一定になる位置に前記第２ステージの位置を設定する段階を含む請求項１７に記載の基板貼り合わせ方法。
【請求項１９】
前記観察工程は、前記第１ステージに固定された顕微鏡による、前記第２ステージに対する合焦距離および合焦位置の少なくとも一方に基づいて前記第２ステージの位置を計測する請求項１４から１８のいずれか一項に記載の基板貼り合せ方法。
【請求項２０】
前記重ね合わせ工程は、干渉計により、前記第１ステージに対して固定された第１固定鏡と、前記第２固定鏡との相対位置に基づいて、前記第１ステージおよび前記第２ステージの相対位置を検出する段階と、
前記干渉計の検出結果に基づいて前記相対位置を補正する段階と
を含む請求項１４から１９のいずれか一項に記載の基板貼り合せ方法。
【請求項２１】
前記重ね合わせ工程は、前記干渉計の検出結果を前記傾斜量に応じて前記相対位置を補正する段階を含む請求項２０に記載の基板貼り合せ方法。
【請求項２２】
前記重ね合わせ工程は、前記干渉計の検出結果に基づいて補正量を算出し、前記補正量から前記第１ステージおよび前記第２ステージの見かけ上の位置ずれ量を差し引く補正をする請求項２１に記載の基板貼り合せ方法。
【請求項２３】
前記重ね合わせ工程は、前記第２ステージが傾くことによって前記第２固定鏡が傾いたことにより生じた見かけ上の位置ずれ量を前記補正量から差し引く段階を含む請求項２２に記載の基板貼り合せ方法。
【請求項２４】
前記重ね合わせ工程は、前記第１基板の表面の中心を通り、前記表面に沿って伸びる軸の周りに前記第２ステージが回転した場合の相対位置のずれ量を前記見かけ上の位置ずれ量とし、前記補正量から差し引く請求項２２または請求項２３に記載の基板貼り合せ方法。
【請求項２５】
前記重ね合わせ工程は、前記第２ステージの前記傾斜量に基づいて前記見かけ上の位置ずれ量を算出する段階を含む請求項２２から２４のいずれか一項に記載の基板貼り合せ方法。
【請求項２６】
前記重ね合わせ工程は、前記見かけ上の位置ずれの方向と反対方向に前記第２ステージを移動させて補正する請求項２２から２５のいずれか一項に記載の基板貼り合せ方法。
【請求項２７】
請求項１４から２６のいずれか一項に記載の基板貼り合せ方法により基板を貼り合せる段階を含む積層半導体装置製造方法。
【請求項２８】
請求項２７に記載の積層半導体装置製造方法により製造された積層半導体装置。
【発明の詳細な説明】
【技術分野】
【０００１】
本発明は、基板貼り合せ装置、基板貼り合せ方法、積層半導体装置製造方法及び積層半導体装置に関する。
【背景技術】
【０００２】
半導体装置の実装密度を高める目的で、電子回路が形成された複数の基板を積層した積層型の半導体装置が注目されている。複数の基板を積層する場合に、基板同士を位置合せして貼り合せる基板貼り合せ装置を用いる。当該基板貼り合わせ装置の基板同士の位置合せにおいて、基板を保持したステージの相対位置を干渉計で計測して当該ステージの位置を制御する（例えば、特許文献１を参照）。
特許文献１  特開２００９−２３１６７１号公報
【発明の概要】
【発明が解決しようとする課題】
【０００３】
基板貼り合せ装置において、接合すべき２枚の基板の表面を平行にしてから貼り合わせることが好ましい。この場合に基板を保持するステージの少なくとも一方を傾けるが、ステージに設けられた干渉計用の反射鏡も同時に傾斜するので、ステージの上昇に伴って反射鏡における光線の当たる位置が基板の面方向にずれることになる。よって、ステージは垂直に移動しているにもかかわらず干渉計で見た基板の面方向の見かけ上の位置がずれて計測されてしまい、基板同士の位置を誤検出するおそれがある。
【課題を解決するための手段】
【０００４】
上記課題を解決するために、本発明の第１の態様においては、第１基板を保持する第１ステージと、第１ステージに対向して配され、第１ステージに対し移動可能であり、第２基板を保持する第２ステージと、第２ステージに取り付けられ、基準面に対する平行基準となる平行基準マークと、第１ステージに対して固定され、平行基準マークおよび第２基板の表面に設けられたアラインメントマークを観察する第１マーク観察部とを備える基板貼り合せ装置が提供される。
【０００５】
本発明の第２の態様においては、第１ステージに対向して配された第２ステージに取り付けられた複数の平行基準マークを計測することにより、第２ステージの平行基準位置を設定する平行基準設定ステップと、第１ステージに保持された第１基板の表面に設けられたアラインメントマークを観察する第１基板観察ステップと、第２ステージに保持された第２基板の表面に設けられたアラインメントマークを観察する第２基板観察ステップと、観察したアラインメントマークに基づいて、第１基板の表面と第２基板の表面とを平行にすべく第２ステージを傾ける第２ステージ傾斜ステップと、平行基準位置からの傾斜量に基づいて、第１基板と第２基板との間の横ずれを補正する位置補正ステップと第１基板と第２基板とを重ね合わせる重ね合せステップとを備える基板貼り合せ方法が提供される。
【０００６】
本発明の第３の態様においては、上記基板貼り合せ方法により基板を貼り合せることを含む積層半導体装置製造方法が提供される。
【０００７】
本発明の第４の態様においては、上記積層半導体装置製造方法により製造された積層半導体装置が提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】一実施形態である基板貼り合せ装置１００の全体構造を模式的に示す平面図である。
【図２】ステージ装置１４０の構造を概略的に示す正面図である。
【図３】第２ステージ１４２の構造を概略的に示す平面図である。
【図４】第１顕微鏡３４２により第２基板１２３の表面に設けられたアラインメントマークを観察する概念図である。
【図５】第２顕微鏡３４４により第１基板１２２の表面に設けられたアラインメントマークを観察する概念図である。
【図６】干渉計の配置を概略的に示す斜視図である。
【図７】基板貼り合せ方法の一実施形態のフローチャートである。
【図８】第１基板１２２と第２基板１２３の位置合せ過程を概略的に示す。
【図９】第２ステージ１４２を傾斜させる過程を概略的に示す。
【図１０】第１基板１２２と第２基板１２３の重ね合せ過程に生ずる横ずれを概略に示す。
【図１１】第１基板１２２と第２基板１２３の位置補正過程を概略に示す。
【図１２】積層半導体装置の製造方法を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、基板貼り合せ装置１００の全体構造を模式的に示す平面図である。基板貼り合せ装置１００は、筐体１０２と、常温部１０４と、高温部１０６と、基板カセット１１２、１１４、１１６とを備える。常温部１０４および高温部１０６は、共通の筐体１０２の内部に設けられる。
【００１２】
基板カセット１１２、１１４、１１６は、筐体１０２の外部に、筐体１０２に対して脱着自在に装着される。基板カセット１１２、１１４、１１６は、基板貼り合せ装置１００において接合される第１基板１２２および第２基板１２３を収容する。基板カセット１１２、１１４、１１６により、複数の第１基板１２２および第２基板１２３が一括して基板貼り合せ装置１００に装填される。また、基板貼り合せ装置１００において接合された第１基板１２２および第２基板１２３が一括して回収される。
【００１３】
常温部１０４は、筐体１０２の内側にそれぞれ配された、プリアライナ１２６、ステージ装置１４０、基板ホルダラック１２８および基板取り外し部１３０と、一対のロボットアーム１３２、１３４とを備える。筐体１０２の内部は、基板貼り合せ装置１００が設置された環境の室温と略同じ温度が維持されるように温度管理される。
【００１４】
プリアライナ１２６は、高精度であるが故に狭いステージ装置１４０の調整範囲に第１基板１２２または第２基板１２３の位置が収まるように、個々の第１基板１２２または第２基板１２３の位置を仮合わせする。これにより、ステージ装置１４０が確実に位置決めをすることができる。
【００１５】
基板ホルダラック１２８は、複数の上基板ホルダ１２４および複数の下基板ホルダ１２５を収容して待機させる。上基板ホルダ１２４および下基板ホルダ１２５は、それぞれ、第１基板１２２および第２基板１２３を静電吸着により保持する。
【００１６】
ステージ装置１４０は、貼り合せの対象である第１基板１２２と第２基板１２３における接合すべき電極同士の位置を合わせて、重ね合わせる。ステージ装置１４０を包囲して断熱壁１４５およびシャッタ１４６が設けられる。断熱壁１４５およびシャッタ１４６に包囲された空間は空調機等に連通して温度管理され、ステージ装置１４０における位置合わせ精度を維持する。
【００１７】
基板取り外し部１３０は、高温部１０６の加圧部２４０から搬出された上基板ホルダ１２４および下基板ホルダ１２５に挟まれて貼り合わされた第１基板１２２および第２基板１２３（以下、積層基板と記載することがある）を取り出す。上基板ホルダ１２４および下基板ホルダ１２５から取り出された積層基板は、ロボットアーム１３４、１３２および第２ステージ１４２により基板カセット１１２、１１４、１１６のうちのひとつに戻されて収容される。積層基板を取り出された上基板ホルダ１２４および下基板ホルダ１２５は、基板ホルダラック１２８に戻されて待機する。基板取り外し部１３０は、基板ホルダラック１２８の上方に配される。
【００１８】
なお、基板貼り合せ装置１００に装填される第１基板１２２および第２基板１２３は、単体のシリコンウエハ、化合物半導体ウェハ、ガラス基板等の他、それらに素子、回路、端子等が形成されたものであってよい。また、装填された第１基板１２２および第２基板１２３が、既に複数のウェハを積層して形成された積層基板である場合もある。
【００１９】
一対のロボットアーム１３２、１３４のうち、基板カセット１１２、１１４、１１６に近い側に配置されたロボットアーム１３２は、基板カセット１１２、１１４、１１６、プリアライナ１２６およびステージ装置１４０の間で第１基板１２２および第２基板１２３を搬送する。一方、基板カセット１１２、１１４、１１６から遠い側に配置されたロボットアーム１３４は、ステージ装置１４０、基板ホルダラック１２８、基板取り外し部１３０およびエアロック２２０の間で、第１基板１２２、第２基板１２３、上基板ホルダ１２４および下基板ホルダ１２５を搬送する。
【００２０】
ロボットアーム１３４は、基板ホルダラック１２８に対して、上基板ホルダ１２４および下基板ホルダ１２５の搬入および搬出も担う。また、ロボットアーム１３４は、第１基板１２２、第２基板１２３、上基板ホルダ１２４又は下基板ホルダ１２５を裏返す機能も有する。これにより、第１基板１２２において回路等が形成された面を第２基板１２３において回路等が形成された面に対向させて貼り合せる。
【００２１】
高温部１０６は、断熱壁１０８、エアロック２２０、ロボットアーム２３０および複数の加圧部２４０を有する。断熱壁１０８は、高温部１０６を包囲して、高温部１０６の高い内部温度を維持すると共に、高温部１０６の外部への熱輻射を遮断する。これにより、高温部１０６の熱が常温部１０４に及ぼす影響を抑制する。
【００２２】
ロボットアーム２３０は、加圧部２４０のいずれかとエアロック２２０との間で第１基板１２２、第２基板１２３、上基板ホルダ１２４および下基板ホルダ１２５を搬送する。エアロック２２０は、常温部１０４側と高温部１０６側とに、交互に開閉するシャッタ２２２、２２４を有する。
【００２３】
第１基板１２２、第２基板１２３、上基板ホルダ１２４および下基板ホルダ１２５が常温部１０４から高温部１０６に搬入される場合、まず、常温部１０４側のシャッタ２２２が開かれ、ロボットアーム１３４が第１基板１２２、第２基板１２３、上基板ホルダ１２４および下基板ホルダ１２５をエアロック２２０に搬入する。次に、常温部１０４側のシャッタ２２２が閉じられ、高温部１０６側のシャッタ２２４が開かれる。
【００２４】
続いて、ロボットアーム２３０が、エアロック２２０から第１基板１２２、第２基板１２３、上基板ホルダ１２４および下基板ホルダ１２５を搬出して、加圧部２４０のいずれかに装入する。加圧部２４０は、上基板ホルダ１２４と下基板ホルダ１２５に挟まれた状態で加圧部２４０に搬入された第１基板１２２及び第２基板１２３を加熱および加圧する。これにより第１基板１２２と第２基板１２３が接合されて、貼り合わされる。なお、加圧部２４０は、第１基板１２２及び第２基板１２３を加熱せずに加圧することで第１基板１２２及び第２基板１２３を貼り合せてもよい。
【００２５】
高温部１０６から常温部１０４に積層基板を搬出する場合は、上記の一連の動作を逆順で実行する。これらの一連の動作により、高温部１０６の内部雰囲気を常温部１０４側に漏らすことなく、第１基板１２２、第２基板１２３、上基板ホルダ１２４および下基板ホルダ１２５を高温部１０６に搬入または搬出できる。
【００２６】
このように、基板貼り合せ装置１００内の多くの領域において、上基板ホルダ１２４が第１基板１２２を保持した状態で、又は下基板ホルダ１２５が第２基板１２３を保持した状態で、ロボットアーム１３４、２３０および第２ステージ１４２により搬送される。第１基板１２２を保持した上基板ホルダ１２４又は第２基板１２３を保持した下基板ホルダ１２５が搬送される場合、ロボットアーム１３４、２３０は、真空吸着、静電吸着等により上基板ホルダ１２４又は下基板ホルダ１２５を吸着して保持してよい。
【００２７】
図２は、ステージ装置１４０の構造を概略的に示す。ステージ装置１４０は、本体３１０の内側に配された第１ステージ１４１と、第２ステージ１４２と、制御部１４８と、平行基準マーク１５２と、第１顕微鏡３４２と、第２顕微鏡３４４と、干渉計３７０と、第１固定鏡３７４と、第２固定鏡３７６とを備える。
【００２８】
本体３１０は、互いに平行で水平な天板３１２および底板３１６と、天板３１２および底板３１６を結合する複数の支柱３１４とを備える。天板３１２、支柱３１４および底板３１６は、それぞれ高剛性な材料により形成され、内部機構の動作に係る反力が作用した場合も変形を生じない。なお、基板貼り合せ装置１００に組み込まれた場合は、支柱３１４相互の間は断熱壁１４５により封止される。
【００２９】
第１ステージ１４１は、天板３１２の下面に固定される。第１ステージ１４１は、真空吸着により第１基板１２２を下面に保持する上基板ホルダ１２４を吸着する。当該吸着方法は、静電吸着であってもよい。上基板ホルダ１２４は、静電吸着により第１基板１２２を吸着して保持する。
【００３０】
第２ステージ１４２は、第１ステージ１４１に対向して昇降部３６０に配される。昇降部３６０は、底板３１６の上に載置され、底板に対して固定されたガイドレール３５２に案内されつつＸ方向に移動するＸステージ３５４と、Ｘステージ３５４の上でＹ方向に移動するＹステージ３５６の上に載置される。よって、制御部１４８の制御により、第２ステージ１４２に搭載された部材を、ＸＹ平面上の任意の方向に移動でき、Ｚ方向にも移動できる。Ｚ方向の移動距離は変位センサー３７２により検知できる。変位センサー３７２が検出したデータが制御部１４８にフィードバックされる。
【００３１】
第２ステージ１４２は、真空吸着等により下基板ホルダ１２５を保持し、下基板ホルダ１２５は、静電吸着により第２基板１２３を保持する。昇降部３６０は、制御部１４８からの指示に応じて、第２ステージ１４２をＺ方向に昇降する。昇降部３６０の駆動形式の例として、ＶＣＭ（ボイスコイルモータ）による駆動、シリンダー及びピストンによる駆動等が挙げられる。第２ステージ１４２は、粗動微動分離駆動機構を有してよい。
【００３２】
図３は、第２ステージ１４２の構造を概略的に示す平面図である。第２ステージ１４２は、回転中心Ｏを有する。第２ステージ１４２は、回転中心Ｏを原点とし、Ｘ、Ｙ、Ｚ軸を回転軸として回転する機能を有する。
【００３３】
第２ステージ１４２の上面には、図３に示すように、３つの平行基準マーク１５２が設けられる。３つの平行基準マーク１５２は、一直線にならないように設けられる。例えば、図３に示すように、３つの平行基準マーク１５２は下基板ホルダ１２５を保持する領域の外側において、中心Ｏに対して互いに約９０°間隔をおいて配置されてよい。
【００３４】
平行基準マーク１５２は、第２ステージ１４２の平行基準位置を設定するのに用いられる。平行基準マーク１５２は、３つより多く設けられても良い。平行基準マーク１５２の上面は、高精度に平面に加工され、アラインメント用マークが設けられる。全ての平行基準マーク１５２の上面は、第２ステージ１４２に対して同じ高さを有するように設定される。なお全ての平行基準マーク１５２の上面は、第２ステージ１４２に対して同じ高さにすることに代えて、第２ステージ１４２に対する各々の平行基準マーク１５２の上面の高さを計測しておき、その計測値を用いて第２ステージ１４２の平行基準位置を設定してもよい。
【００３５】
第１顕微鏡３４２は、天板３１２の下面に、第１ステージ１４１に対して既知の間隔をおいて固定される。第１顕微鏡３４２は、オートフォーカスセンサーを有する。第１顕微鏡３４２は、第１マーク観察部の一例である。
【００３６】
図４は、第１顕微鏡３４２により第２基板１２３の表面に設けられたアラインメントマークを観察する概念図である。図４に示すように、第１顕微鏡３４２は、第２ステージ１４２に保持された第２基板１２３の表面に設けられたアラインメントマークを観察して、その位置、距離を計測する。第１顕微鏡３４２により計測される位置、距離のデータは、制御部１４８に送信される。
【００３７】
第１顕微鏡３４２は、平行基準マーク１５２の上面に設けられるアラインメントマークを観察して、その位置、距離を計測する。第１顕微鏡３４２により計測される位置、距離のデータは、制御部１４８に送信される。制御部１４８は、受信したデータに基づいて、各平行基準マーク１５２に対して第１顕微鏡３４２が計測した距離が一定になるように第２ステージ１４２を制御することにより、第２ステージ１４２を水平にすることができる。
【００３８】
第２顕微鏡３４４は、第２ステージ１４２に固定され、第２ステージ１４２と共に移動する。第２顕微鏡３４４は、オートフォーカスセンサーを有する。第２顕微鏡３４４は、第２マーク観察部の一例である。
【００３９】
図５は、第２顕微鏡３４４により第１基板１２２の表面に設けられたアラインメントマークを観察する概念図である。図５に示すように、第２顕微鏡３４４は、第１ステージ１４１に保持された第１基板１２２の表面に設けられたアラインメントマークを観察して、その位置、距離を計測することができる。第２顕微鏡３４４により計測される位置、距離のデータは、制御部１４８に送信される。制御部１４８は、受信したデータに基づいて、第２ステージ１４２を制御する。
【００４０】
図６は、ステージ装置１４０に設けられる干渉計の配置を概略的に示す斜視図である。図６には、干渉計から照射する光線を矢印付き破線により示す。ステージ装置１４０には、干渉計３７０、干渉計３８０及び干渉計３９０が設けられる。
【００４１】
干渉計３７０は、それぞれ第１ステージ１４１及び第２ステージ１４２に固定された第１固定鏡３７４及び第２固定鏡３７６に光を照射して、第１固定鏡３７４及び第２固定鏡３７６から反射される光の干渉により、第１ステージ１４１に対する第２ステージ１４２のＸ方向の相対位置及びＹ軸を回転軸とする相対的な傾斜量を検知できる。干渉計３８０は、第１ステージ１４１に対する第２ステージ１４２のＺ軸を回転軸とする相対的な回転量を検知できる。干渉計３９０は、それぞれ第１ステージ１４１及び第２ステージ１４２に固定された第３固定鏡３９２及び第４固定鏡３９４に光を照射して、第３固定鏡３９２及び第４固定鏡３９４から反射される光の干渉により、第１ステージ１４１に対する第２ステージ１４２のＹ方向の相対位置及びＸ軸を回転軸とする相対的な傾斜量を検知できる。干渉計３７０、干渉計３８０および干渉計３９０は、検出したデータを制御部１４８にフィードバックする。
【００４２】
図２の制御部１４８は、干渉計３７０、干渉計３８０、干渉計３９０、変位センサー３７２、第１顕微鏡３４２及び第２顕微鏡３４４により送信されるデータに基づいて、第２ステージ１４２を精密に制御する。制御部１４８は、上記データに基づいて、上基板ホルダ１２４を介して第１ステージ１４１に保持された第１基板１２２の表面と、下基板ホルダ１２５を介して第２ステージ１４２に保持された第２基板１２３の表面との間の間隔を計算することができる。制御部１４８は、第２ステージ１４２が平行基準位置からの傾斜量に基づいて、第１基板と第２基板との間の横ずれを計算することができ、且つ計算結果により第２ステージ１４２の位置を補正することができる。
【００４３】
図７は、基板貼り合せ方法の一実施形態のフローチャートである。この基板貼り合せ方法は、基板設置ステップＳ０１０と、平行基準設定ステップＳ０２０と、第１基板観察ステップＳ０３０と、第２基板観察ステップＳ０４０と、位置合せステップＳ０５０と、第２ステージ傾斜ステップＳ０６０と、位置補正ステップＳ０７０と、重ね合わせステップＳ０８０と、貼り合せステップＳ０９０とを備える。
【００４４】
図８から図１１は、この基板貼り合せ方法の一部ステップにおける第１基板１２２と第２基板１２３との相対位置を概略的に示す。これらの図面において、ステージ装置１４０に備える構成のいくつかを省略するとともに、基板表面の傾斜を誇張して表している。第１基板１２２および第２基板１２３は、表面に回路を形成する段階、および、表面または裏面を研磨する段階等において、厚みにばらつきが生じて、上基板ホルダ１２４等に保持された状態で表面が傾斜する場合がある。
【００４５】
ステップＳ０１０において、第１基板１２２及び第２基板１２３をステージ装置１４０に設置する。まず、ロボットアーム１３２により、基板カセット１１２、１１４、１１６のいずれかに収容されている一枚の第１基板１２２がプリアライナ１２６に搬入され、外形基準により位置決めされる。ロボットアーム１３４は、一枚の上基板ホルダ１２４を第２ステージ１４２に搭載する。上基板ホルダ１２４を搭載した第２ステージ１４２は、ロボットアーム１３２の近傍まで移動する。ロボットアーム１３２は、この上基板ホルダ１２４に第１基板１２２を搭載する。これにより、上基板ホルダ１２４が第１基板１２２を保持する。
【００４６】
第２ステージ１４２が再びロボットアーム１３４の側に移動する。ロボットアーム１３４は、第１基板１２２を保持した上基板ホルダ１２４を裏返して、第１ステージ１４１に近接させる。第１ステージ１４１は、第１基板１２２を保持した上基板ホルダ１２４を真空吸着により保持する。
【００４７】
次に、ロボットアーム１３４は、下基板ホルダ１２５を第２ステージ１４２に搭載する。下基板ホルダ１２５を搭載した第２ステージ１４２は、ロボットアーム１３２の近傍まで移動する。ロボットアーム１３２は、この下基板ホルダ１２５に、プリアライナ１２６において外形基準で位置決めされた第２基板１２３を搭載する。これにより、下基板ホルダ１２５は第２基板１２３を保持する。さらに、第２ステージ１４２は、下基板ホルダ１２５を真空吸着により保持する。第２ステージ１４２は、下基板ホルダ１２５及び第２基板１２３を載置して、第１ステージ１４１の直下に移動する。
【００４８】
ステップＳ０２０において、第２ステージ１４２に取り付けられた各平行基準マーク１５２に対して、第１顕微鏡３４２が計測した距離が一定になるように第２ステージ１４２を制御することにより、第２ステージ１４２を水平に調整して、その位置を第２ステージ１４２の平行基準位置として設定する。
【００４９】
ステップＳ０３０において、図５に示すように、第２顕微鏡３４４により、第１ステージ１４１に保持された第１基板１２２の表面に設けられた複数のアラインメントマークを観察して、第１基板１２２の表面のＸ、Ｙ方向の位置、Ｚ軸まわりの向き、Ｘ、Ｙ軸まわりの傾斜等を計測する。第２顕微鏡３４４により計測したデータを制御部１４８に送信する。
【００５０】
ステップＳ０４０において、図４に示すように、第１顕微鏡３４２により、第２ステージ１４２に保持された第２基板１２３の表面に設けられた複数のアラインメントマークを観察して、第２基板１２３の表面のＸ、Ｙ方向の位置、Ｚ軸まわりの向き、Ｘ、Ｙ軸まわりの傾斜等を計測する。第１顕微鏡３４２により計測したデータを制御部１４８に送信する。
【００５１】
ステップＳ０５０において、図８に示すように、制御部１４８は、干渉計３７０、干渉計３８０、干渉計３９０、変位センサー３７２、第１顕微鏡３４２及び第２顕微鏡３４４により送信されるデータに基づいて、第１基板１２２及び第２基板１２３の位置を計算して、第２ステージ１４２を移動して、第１基板１２２と第２基板１２３における接合すべき電極同士の位置が合うように位置合せする。上記の移動は、Ｘ−Ｙ軸面内で平行移動、Ｚ軸の回転移動を含む。
【００５２】
ステップＳ０６０において、図９に示すように、制御部１４８は、計算した第１基板１２２及び第２基板１２３の位置に基づいて、第１基板１２２の表面と第２基板１２３の表面とを平行にすべく、第２ステージを平行基準位置から算出された傾斜量すなわち角度θだけ傾ける。第２ステージ１４２を傾斜させることにより、第１基板１２２の表面と第２基板１２３の表面との間は、全範囲において等間隔ｈを有することになる。従って、第２ステージ１４２をＺ方向に距離ｈを上昇させることにより、第１基板１２２と第２基板１２３を重ね合わせることができる。
【００５３】
ここで第２ステージ１４２を傾斜させた後、干渉計３７０からの光線は第２固定鏡３７６の点ａに照射するとする。第２ステージ１４２をＺ方向に距離ｈだけ上昇させると、光線が破線で示すように第２固定鏡３７６の点ｂに照射する。第２固定鏡３７６が第２ステージ１４２と共に角度θだけ傾斜しているので、点ａと点ｂの間は横方向にずれ量δだけのずれが生ずる。δは次の式で求められる。
δ  ＝  ｈ・ｔａｎθ                                          （１）
【００５４】
そこで、第２ステージ１４２を距離ｈだけＺ方向に上昇したにも関わらず、すなわち、第１基板１２２の面方向には移動していないにも関わらず、干渉計３７０は、第２固定鏡３７６の反射位置のずれにより、見かけ上、第２ステージ１４２が左方向に距離δを移動したものと誤って検出することになる。ここで検出データを受信した制御部１４８は、第２ステージ１４２が目標位置からずれていると判断し、それを是正すべく第２ステージ１４２をＺ方向に上昇させながら右方向に距離δを移動させるとすれば、図１０に示すように、第２基板１２３は第１基板１２２に対して右方向に距離δずれた状態で第１基板１２２と重ね合わされることになる。
【００５５】
そこで本実施形態では、ステップＳ０７０において、上記見かけ上のずれを見込んだ位置を新たな位置合わせ位置として、干渉計３７０からの出力を用いて制御部１４８が第２ステージ１４２を制御する。この場合にまずステップＳ０７０において、制御部１４８は、平行基準位置からの角度θに基づいて、数式（１）により第１基板１２２と第２基板１２３との間の見かけ上のずれ量δおよびずれの方向を算出する。さらに制御部１４８は、干渉計３７０が認識するずれの方向に第２ステージを距離δだけ移動させた位置を新たな位置合わせ位置に設定する。これにより制御部１４８は、干渉計３７０が認識するずれの方向、すなわち当該補正をしない場合に生じる実際のずれと反対方向に第２ステージ１４２を距離δだけ移動させて、第２基板１２３の位置を補正する。
【００５６】
ステップＳ０８０において、第２ステージ１４２をＺ方向に上昇させて、第１基板１２２と第２基板１２３とを重ね合わせる。この場合に、制御部１４８は見かけ上のずれを見込んだ位置を新たな位置合わせ位置として第２ステージ１４２を制御するので、干渉計３７０からの出力をそのまま用いてよい。図１１に示すように、見かけ上のずれ量δを見込んで補正した第２基板１２３の位置を新たな位置合わせ位置にすることにより、第２ステージ１４２が傾斜した状態で、第１基板１２２と第２基板１２３は正確な位置で重ね合わせることができる。
【００５７】
ステップＳ０９０において、上基板ホルダ１２４に対する第１ステージ１４１の吸着が解除され、当接した第１基板１２２および第２基板１２３を挟んだ上基板ホルダ１２４と下基板ホルダ１２５は、第２ステージ１４２に保持されて降下する。当接した第１基板１２２および第２基板１２３を挟んだ上基板ホルダ１２４と下基板ホルダ１２５は、ロボットアーム１３４によりエアロック２２０に搬送される。エアロック２２０に搬送された第１基板１２２、第２基板１２３、上基板ホルダ１２４および下基板ホルダ１２５は加圧部２４０に装入される。加圧部２４０において加熱および加圧されることにより、第１基板１２２および第２基板１２３は互いに貼り合わされて一体になる。
【００５８】
以上、本実施形態によれば、干渉計３７０の第２固定鏡３７６が傾斜して見かけ上の位置がずれても、第１基板１２２と第２基板１２３とを、重ね合わせるべき位置で正確に重ね合わせることができる。さらに、当該位置補正が第１基板１２２の表面と第２基板１２３の表面が接触する前に行われることにより、第１基板１２２の表面と第２基板１２３の表面との摩擦によるダメージを防ぐことができる。なおステップＳ０２０において、第２ステージ１４２を水平に調整することに代えて、第１顕微鏡３４２が計測した各平行基準マーク１５２までの距離に基づいて第２ステージの現在の傾きを算出し、以降のステップにおいてこの傾きとの差分で第２ステージの傾きを算出して見かけのずれ量を補正してもよい。
【００５９】
上記基板貼り合せ方法において、ステップＳ０７０の位置補正は、ステップＳ０８０における第２ステージ１４２をＺ方向に上昇させる過程と同時に行ってもよい。この場合に例えば、制御部１４８は第２ステージ１４２の上昇中において干渉計３７０からの出力による見かけ上のずれの方向が予め算出したずれの方向と一致しており、見かけ上のずれ量が予め算出したずれ量δになるまでは見かけ上のずれを許容しておく。最終的に第１基板１２２と第２基板１２３とが重ね合わさった時点において、干渉計３７０からの出力による見かけ上のずれの方向が予め算出した方向と一致しており、見かけ上のずれ量が予め算出したずれ量δに一致するように、制御部１４８が第２ステージ１４２を制御する。これにより、第１基板１２２と第２基板１２３とを重ね合わされるべき位置で重ね合わせることができる。
【００６０】
これらに代えて、ステップＳ０７０はステップＳ０８０の後に行ってもよい。この場合に、ステップＳ０８０において制御部１４８は、位置合わせの位置を変更しないので、干渉計３７０からの見かけ上のずれ量δを補正するように第２ステージ１４２を移動させる。よって、図１０に示すように、第１基板１２２と第２基板１２３とが当該ずれ量δだけ、見かけ上のずれと反対方向にずれて重ねあわされる。その後、ステップＳ０７０により制御部１４８は当該ずれ量δを算出して、当該ずれ量δだけ見かけ上のずれの方向に第２ステージ１４２を移動させる。これにより、図１１に示すように、第１基板１２２と第２基板１２３とを重ね合わされるべき位置で重ね合わせることができる。
【００６１】
ステージ装置１４０において、重ね合わせた第１基板１２２および第２基板１２３を加圧および加熱してこれらを接合することにより、加圧部２４０を省略した基板貼り合せ装置１００を形成することもできる。また、上記実施形態において上基板ホルダ１２４および下基板ホルダ１２５を用いたが、これらの一方または両方を用いずに、第１基板１２２および第２基板１２３の一方または両方を直接第１ステージ１４１等に保持させてもよい。
【００６２】
図１２は、積層半導体装置を製造する製造方法の概略を示す。図１２に示すように、積層半導体装置は、当該積層半導体装置の機能・性能設計を行うステップＳ１１０、この設計ステップに基づいたマスク（レチクル）を製作するステップＳ１２０、積層半導体装置の基材である基板を製造するステップＳ１３０、マスクのパターンを用いたリソグラフィを含む基板処理ステップＳ１４０、上記の基板貼り合せ方法を用いた基板貼り合せ工程等を含むデバイス組み立てステップＳ１５０、検査ステップＳ１６０等を経て製造される。なお、デバイス組み立てステップＳ１５０は、基板貼り合せ工程に続いて、ダイシング工程、ボンディング工程、パッケージ工程などの加工プロセスを含む。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６５】
１００  基板貼り合せ装置、１０２  筐体、１０４  常温部、１０６  高温部、１０８  断熱壁、１１２  基板カセット、１１４  基板カセット、１１６  基板カセット、１２２  第１基板、１２３  第２基板、１２４  上基板ホルダ、１２５  下基板ホルダ、１２６  プリアライナ、１２８  基板ホルダラック、１３０  基板取り外し部、１３２  ロボットアーム、１３４  ロボットアーム、１４０  ステージ装置、１４１  第１ステージ、１４２  第２ステージ、１４５  断熱壁、１４６  シャッタ、１４８  制御部、１５２  平行基準マーク、２２０  エアロック、２２２  シャッタ、２２４  シャッタ、２３０  ロボットアーム、２４０  加圧部、３１０  本体、３１２  天板、３１４  支柱、３１６  底板、３４２  第１顕微鏡、３４４  第２顕微鏡、３５２  ガイドレール、３５４  Ｘステージ、３５６  Ｙステージ、３６０  昇降部、３７０  干渉計、３７２  変位センサー
３７４  第１固定鏡、３７６  第２固定鏡、３８０  干渉計、３９０  干渉計、３９２  第３固定鏡、３９４  第４固定鏡
【図１】
0005454252.tif 000002
【図２】
0005454252.tif 000003
【図３】
0005454252.tif 000004
【図４】
0005454252.tif 000005
【図５】
0005454252.tif 000006
【図６】
0005454252.tif 000007
【図７】
0005454252.tif 000008
【図８】
0005454252.tif 000009
【図９】
0005454252.tif 000010
【図１０】
0005454252.tif 000011
【図１１】
0005454252.tif 000012
【図１２】
0005454252.tif 000013